(57)【要約】【課題】  各個人に適した音質補正を行う。【解決手段】  番組信号の送信を行う送信装置と、該送信装置から送信された番組信号を受信し、補正して出力する受信装置とからなる音質補正伝送システムにおいて、前記送信装置は、番組の音声からオーディオ特徴データを生成する特徴データ生成手段と、前記受信装置側で音質補正を行わせるための音質補正用データを生成する音質補正用データ生成手段とを有し、前記受信装置は、前記送信装置から得られる音質補正用データに基づいて、視聴者情報を取得する視聴者情報取得手段と、前記視聴者情報取得手段により得られる取得データから音質補正データを生成する音質補正データ生成手段と、前記音質補正データ生成手段により得られる補正データと、前記オーディオ特徴データとに基づいて、前記音声の補正を行う補正手段とを有することにより、上記課題を解決する。【選択図】        図１
2005348216.tif 000002
【特許請求の範囲】
【請求項１】
映像及び音声からなる番組信号の送信を行う送信装置と、該送信装置から送信された番組信号を受信し、受信した番組信号に含まれる音声を視聴者毎に補正して出力する受信装置とからなる音質補正伝送システムにおいて、
前記送信装置は、番組の音声からオーディオ特徴データを生成する特徴データ生成手段と、前記受信装置側で音質補正を行わせるための音質補正用データを生成する音質補正用データ生成手段とを有し、
前記受信装置は、前記送信装置から得られる音質補正用データに基づいて、視聴者情報を取得する視聴者情報取得手段と、前記視聴者情報取得手段により得られる取得データから音質補正データを生成する音質補正データ生成手段と、前記音質補正データ生成手段により得られる補正データと、前記オーディオ特徴データとに基づいて、前記音声の補正を行う補正手段とを有することを特徴とする音質補正伝送システム。
【請求項２】
映像及び音声からなる番組信号の送信を行う送信装置において、
音声からオーディオ特徴データを生成する特徴データ生成手段と、
受信側に音質補正を行わせるための音質補正用データを生成する音質補正用データ生成手段とを有することを特徴とする送信装置。
【請求項３】
前記音声は、少なくとも２つのオーディオ信号を有し、
前記特徴データ生成手段は、
前記オーディオ信号を周波数変換し、変換された周波数帯域を結合して得られる最大値を特徴データとして生成することを特徴とする請求項２に記載の送信装置。
【請求項４】
前記音質補正用データ生成手段は、
前記視聴者に対する質問情報、及び該質問情報に対応付けられた音声情報から音質補正用データを生成することを特徴とする請求項２に記載の送信装置。
【請求項５】
前記オーディオ信号は、
ナレーション音及び背景音を有することを特徴とする請求項３に記載の送信装置。
【請求項６】
送信側から送信された番組信号を受信し、受信した番組の音声を視聴者毎に補正して出力する受信装置において、
前記送信側から送信される音質補正用データに基づいて、視聴者情報を取得する視聴者情報取得手段と、
前記視聴者情報取得手段により得られる取得データから音質補正データを生成する音質補正データ生成手段と、
音質補正データ生成手段により得られる補正データと、前記番組信号に含まれるオーディオ特徴データとに基づいて、前記音声の補正を行う補正手段とを有することを特徴とする受信装置。
【請求項７】
前記視聴者情報取得手段は、
前記音質補正用データに含まれる視聴者に対する質問情報、及び該質問情報に対応付けられた音声情報から、視聴者により入力される回答結果及び聴覚測定データを視聴者情報として取得することを特徴とする請求項６に記載の受信装置。
【請求項８】
前記音質補正データ生成手段は、
前記視聴者情報取得手段により得られる回答結果及び各視聴者の聴覚測定データと、前記オーディオ特徴データに基づいて、視聴者毎の音声補正データを生成することを特徴とする請求項６又は７に記載の受信装置。
【請求項９】
前記音質補正データ生成手段は、
複数のオーディオ信号の混合比及び音量を補正するデータを生成することを特徴とする請求項６乃至８の何れか1項に記載の受信装置。
【請求項１０】
前記補正手段は、
受信した番組信号に含まれる複数のオーディオ信号と、前記音質補正データ生成手段により得られる補正データとに基づいて、前記複数のオーディオ信号の混合比及び音量を補正することを特徴とする請求項６乃至９の何れか1項に記載の受信装置。
【発明の詳細な説明】
【技術分野】
【０００１】
本発明は、音質補正伝送システム、送信装置、受信装置に係り、特に、各個人に適した音質補正を行い高精度な音声を提供するための音質補正伝送システム、送信装置、受信装置に関する。
【背景技術】
【０００２】
従来、番組においては放送番組中のナレーション音と共にＢＧＭ等の背景音（効果音）を重ねることにより効果的な演出を実現している。このような番組中の音声は、ある所定の混合比により混合されて符号化されたオーディオ信号が視聴者に提供される。このため、視聴者は、受信機等により復号されたオーディオ信号を補正せずに再生するか、又は予め設定された音質補正特性を使用した再生を行っている。このため、番組のオーディオ信号毎の特徴を考慮した高精度な補正や、個人の嗜好に適した自動的な音質補正を行うことは困難であった。
【０００３】
そこで、従来の技術として、番組制作にあたり、ナレーション音や背景音等との音の聴感的なバランスを測定し、これを制御信号としてミキシングを制御する手段がある（例えば、特許文献１参照。）。
【０００４】
また、視聴者が「声」と、「声」以外の音楽や効果音との音声バランスを自分に適したバランスにして聴取する手法がある（例えば、特許文献２参照。）。なお、特許文献２では、通常の音声信号と人の声以外の音声信号を異なるチャンネルに割当てて多重化している。
【特許文献１】特開２００１−７６４６０号公報
【特許文献２】特開平１０−３２７３８６号公報
【発明の開示】
【発明が解決しようとする課題】
【０００５】
しかしながら、上述した特許文献１に示されている手法の場合は、放送局側で予め制作された音声の中から自分の好ましいものを選択することができるが、放送局側で制作された音声が必ずしも各個人に最適な音でない場合もある。
【０００６】
また、特許文献２に示されている手法の場合は、人の声の電気信号と、人の声以外の電気信号とのミキシングバランスが異なる２種類の信号を受信してミキシングバランスを視聴者に応じてある程度の調整することができるが、この場合も全ての人（視聴者）にとっては最適な音でない場合もある。
【０００７】
本発明は、上述した問題点に鑑みなされたものであり、各個人（各視聴者）に適した音質補正を行い高精度な音声を提供するための音質補正伝送システム、送信装置、受信装置を提供することを目的とする。
【課題を解決するための手段】
【０００８】
上記課題を解決するために、本件発明は、以下の特徴を有する課題を解決するための手段を採用している。
【０００９】
請求項１に記載された発明は、映像及び音声からなる番組信号の送信を行う送信装置と、該送信装置から送信された番組信号を受信し、受信した番組信号に含まれる音声を視聴者毎に補正して出力する受信装置とからなる音質補正伝送システムにおいて、前記送信装置は、番組の音声からオーディオ特徴データを生成する特徴データ生成手段と、前記受信装置側で音質補正を行わせるための音質補正用データを生成する音質補正用データ生成手段とを有し、前記受信装置は、前記送信装置から得られる音質補正用データに基づいて、視聴者情報を取得する視聴者情報取得手段と、前記視聴者情報取得手段により得られる取得データから音質補正データを生成する音質補正データ生成手段と、前記音質補正データ生成手段により得られる補正データと、前記オーディオ特徴データとに基づいて、前記音声の補正を行う補正手段とを有することを特徴とする。
【００１０】
請求項１記載の発明によれば、受信装置で音質補正を行わせるための音質補正用データを送信装置でオーディオ特徴データに対応させて生成し、また送信装置は、その音質補正用データに対応した音質補正データを生成することで、効率的に高精度な音質補正を実現できる。これにより、各個人に適した音質補正を行い高精度な音声を提供することができる。
【００１１】
請求項２に記載された発明は、映像及び音声からなる番組信号の送信を行う送信装置において、音声からオーディオ特徴データを生成する特徴データ生成手段と、受信側に音質補正を行わせるための音質補正用データを生成する音質補正用データ生成手段とを有することを特徴とする。
【００１２】
請求項２記載の発明によれば、受信側で音質補正を行わせるための音質補正用データをオーディオ特徴データに対応させて生成することで、受信側で効率的に高精度な音質補正を実現できる。これにより、各個人に適した音質補正を行い高精度な音声を提供することができる。
【００１３】
請求項３に記載された発明は、前記音声は、少なくとも２つのオーディオ信号を有し、前記特徴データ生成手段は、前記オーディオ信号を周波数変換し、変換された周波数帯域を結合して得られる最大値を特徴データとして生成することを特徴とする。
【００１４】
請求項３記載の発明によれば、オーディオ特徴データを効率的で高精度に生成することができる。
【００１５】
請求項４に記載された発明は、前記音質補正用データ生成手段は、前記視聴者に対する質問情報、及び該質問情報に対応付けられた音声情報から音質補正用データを生成することを特徴とする。
【００１６】
請求項４記載の発明によれば、効率的に音質補正用データを生成することができる。また、質問情報、及び該質問情報に対応付けられた音声情報を用いて、受信側での視聴者による設定を容易に実現することができる。
【００１７】
請求項５に記載された発明は、前記オーディオ信号は、ナレーション音及び背景音を有することを特徴とする。
【００１８】
請求項５記載の発明によれば、混合して出力されるナレーション音及び背景音について、お互いの音声を補正することにより、より効果的な演出を実現することができる。
【００１９】
請求項６に記載された発明は、送信側から送信された番組信号を受信し、受信した番組の音声を視聴者毎に補正して出力する受信装置において、前記送信側から送信される音質補正用データに基づいて、視聴者情報を取得する視聴者情報取得手段と、前記視聴者情報取得手段により得られる取得データから音質補正データを生成する音質補正データ生成手段と、音質補正データ生成手段により得られる補正データと、前記番組信号に含まれるオーディオ特徴データとに基づいて、前記音声の補正を行う補正手段とを有することを特徴とする。
【００２０】
請求項６記載の発明によれば、音質補正を行うための音質補正用データにより予め補正データを生成しておくことで、オーディオ特徴データに対して効率的に高精度な音質補正を実現することができる。これにより、各個人に適した音質補正を行い高精度な音声を提供することができる。
【００２１】
請求項７に記載された発明は、前記視聴者情報取得手段は、前記音質補正用データに含まれる視聴者に対する質問情報、及び該質問情報に対応付けられた音声情報から、視聴者により入力される回答結果及び聴覚測定データを視聴者情報として取得することを特徴とする。
【００２２】
請求項７記載の発明によれば、視聴者に対する質問情報、及び該質問情報に対応付けられた音声情報を用いて容易に視聴者情報を取得することができる。
【００２３】
請求項８に記載された発明は、前記音質補正データ生成手段は、前記視聴者情報取得手段により得られる回答結果及び各視聴者の聴覚測定データと、前記オーディオ特徴データに基づいて、視聴者毎の音声補正データを生成することを特徴とする。
【００２４】
請求項８記載の発明によれば、視聴者により入力された視聴者情報を用いることにより、高精度に音質補正データを生成することができる。
【００２５】
請求項９に記載された発明は、前記音質補正データ生成手段は、複数のオーディオ信号の混合比及び音量を補正するデータを生成することを特徴とする。
【００２６】
請求項９記載の発明によれば、各個人毎に複数のオーディオ信号の混合比と、音量とを補正するデータを生成することにより、効率的に高精度な音質の補正を実現することができる。
【００２７】
請求項１０に記載された発明は、前記補正手段は、受信した番組信号に含まれる複数のオーディオ信号と、前記音質補正データ生成手段により得られる補正データとに基づいて、前記複数のオーディオ信号の混合比及び音量を補正することを特徴とする。
【００２８】
請求項１０記載の発明によれば、効率的に高精度な音質の補正を実現することができる。
【発明の効果】
【００２９】
本発明によれば、各個人に適した音質補正を行い高精度な音声を提供することができる。
【発明を実施するための最良の形態】
【００３０】
＜本発明の概要＞
本発明は、各個人に適した音質補正を行うために、インターネット等の通信ネットワークを使用した送受信手段やＣＤ−ＲＯＭ等の記録媒体等により、音の聞き易さに関するアンケートと、アンケートに付随したオーディオ信号を受信装置側で取得し、取得した情報に合わせて音質補正を行うことにより、パーソナルな音質補正データを各視聴者に提供することができる。
【００３１】
更に具体的に説明すると、例えばデジタル放送又はインターネット配信により、オーディオ信号とオーディオ信号の特徴データが付随したデジタルオーディオ符号化ストリーム信号を受信し、この受信したストリーム信号を復号し、復号したデジタルオーディオ信号に含まれる特徴データを用いて音質補正を行う機能を有する装置において、本装置で取得した個人のパーソナルな音質補正データとオーディオ信号の特徴データとを組み合わせることにより、各個人に適した音質補正を行ったオーディオ信号を出力する。
【００３２】
＜実施形態＞
以下に、本発明を適用した実施形態について図を用いて説明する。図１は、本発明における音質補正伝送システムの一構成例を示す図である。
【００３３】
図１に示す音質補正伝送システム１０は、送信装置１１と、受信装置１２とを有するよう構成されている。また、送信装置１１と受信装置１２とは、インターネット等の通信ネットワーク１３を介してデータの送受信が可能な状態で接続されている。また、送信装置１１は、放送衛星１４を介して放送番組を受信装置１２へ提供する。
【００３４】
ここで、図１に示す送信装置１１は、各視聴者が自宅等に設置された受信装置１２等にて視聴可能な映像や音声等からなる番組等を提供する提供事業体等からなる送信装置であり、例えば、放送局やコンテンツを提供するコンテンツプロバイダ等である。また、本実施形態において、送信装置１１と受信装置１２の数には限定されない。
【００３５】
更に、送信装置１１は、ＣＤ−ＲＯＭ等の記録媒体１５により、視聴者情報を取得するためのアンケートやテスト音声データ等の音質補正用データを記録し、受信装置１２に視聴者端末１２に提供することができる。
【００３６】
送信装置１１は、制作した放送番組を、放送衛星１４を介して受信装置１２に提供する。また、送信装置１１は、受信装置１２に音声を補正させるため視聴者に対するンケートや、視聴能力や嗜好の音を測定するためのテスト音声データ等からなる音質補正用データを、通信ネットワーク１３を介して受信装置１２に送信する。なお、上述した音質補正用データは、ＣＤ−ＲＯＭ等の記録媒体１５に蓄積して、郵送等により視聴者に提供することもできる。
【００３７】
一方、受信装置１２は、送信装置１１からのアンケート等の質問情報、音質補正用データ等を用いて各個人毎に設定を行い、そのアンケートの回答や測定結果等の情報から音質補正データを生成し、生成した音質補正データを蓄積して番組中に含まれる音声の補正を行う。
【００３８】
次に、送信装置１１及び受信装置１２の各機能構成について、図を用いて説明する。
【００３９】
＜送信装置１１＞
図２は、本実施形態における送信装置の機能構成の一例を示す図である。図２に示す送信装置１１は、オーディオ特徴データ生成手段２１と、番組制作手段２２と、音質補正用データ生成手段２３と、第１送信手段２４と、第２送信手段２５とを有するよう構成されている。
【００４０】
オーディオ特徴データ生成手段２１は、ナレーションの音声データと、ＢＧＭ等の背景音の音声データを入力し、放送番組のジャンル情報又は番組毎のオーディオ信号に基づいて、オーディオ特徴データを生成する。また、オーディオ特徴データ生成手段２１は、生成したオーディオ特徴データを番組制作手段２２に出力する。なお、オーディオ特徴データ生成についての詳細な説明は後述する。
【００４１】
番組制作手段２２は、映像データ及びオーディオ特徴データ生成手段２１より得られるオーディオ特徴データを入力して番組を制作する。また、番組制作手段２２は、制作された番組信号を第１送信手段２４に出力する。
【００４２】
また、音質補正用データ生成手段２３は、受信装置１２により音質補正データを生成し音質補正を行わせるため、アンケート等の視聴者に対する質問情報、及び質問情報に対応付けられた音声情報（テスト音声データ）から音質補正用データを生成する。音質補正用データ生成手段２３は、生成した音質補正用データを第２送信手段２５に出力する。なお、音質補正用データ生成手段２３は、ＣＤ―ＲＯＭ等の記録媒体１５等に生成した音質補正用データを蓄積することができ、これにより、郵送等でも音質補正用データを受信装置１２へ送ることができる。
【００４３】
ここで、質問情報とは、例えば視聴者に対して音の聞きやすさに関するアンケートや各種質問に関するデータであり、テスト音声データとは、例えばアンケートに付随した個人の聴力を測定するためのオーディオ信号である。また、ナレーション音や背景音のサンプルデータ等も含まれる。
【００４４】
第１送信手段２４は、番組制作手段２２から得られる番組信号を放送衛星１４により受信装置１２に出力する。また、第２送信手段２５は、音声補正用データ生成部２３から得られる音質補正用データを通信ネットワーク１３等により受信装置１２に出力する。
【００４５】
ここで、第１送信手段２４から送信される信号は、番組制作手段２２により生成される番組毎に送信されるのに対し、第２送信手段２５から送信される信号は、音声補正用データ生成部２３により生成される音質補正用データを用いて受信装置１２側に補正を行わせるとき、例えば一度だけ送信を行う。
【００４６】
＜オーディオ特徴データ生成手段２１：オーディオ特徴データ生成例＞
次に、オーディオ特徴データ生成手段２１におけるオーディオ特徴データの生成例について図を用いて説明する。図３は、オーディオ特徴データの生成例を説明するための図である。また、具体的には、ナレーション音からのオーディオ特徴データを生成する生成処理ブロックの一例を示している。
【００４７】
ここでは、例えばニュース等の情報提供番組において、ナレーション音と背景音に関して、ナレーション音を明瞭で聞きやすくするためのオーディオ特徴データの生成例について示す。なお、本実施形態にて用いられるオーディオ音についてはこの限りではなく、また、２つのオーディオ信号（ナレーション音、背景音）に限定されない。
【００４８】
更に、ここでは、ナレーション音から抽出したＭＰＥＧ―２ＡＡＣ（ＭＰＥＧ：Ｍｏｖｉｎｇ  Ｐｉｃｔｕｒｅ  Ｅｘｐｅｒｔｓ  Ｇｒｏｕｐ  ／  ＡＡＣ：Ａｄｖａｎｃｅｄ  Ａｕｄｉｏ  Ｃｏｄｉｎｇ）符号化による４９個の聴覚的な周波数帯域（Ｓｃａｌｅｆａｃｔｏｒ  Ｂａｎｄｓ）に対応した特徴データを生成するものとする。
【００４９】
図３に示すオーディオ特徴データ生成手段２１は、ミキシング手段３１と、ＭＤＣＴ（Ｍｏｄｉｆｉｅｄ  Ｄｉｓｃｒｅｔｅ  Ｃｏｓｉｎｅ  Ｔｒａｎｓｆｏｒｍ）手段３２と、ＭＰＥＧ―２ＡＡＣ手段３３と、スケールファクタバンド結合手段３４と、スケールファクタバンド最大値検出手段３５と、符号化手段３６と、多重化手段３７とを有するよう構成されている。
【００５０】
ここで通常、送信装置１１においてはナレーション音と背景音は別々に入力され、これをミキシング手段３１により適切なレベル比で混合して放送音声が生成される。図３では、このうちナレーション音のみを用いてオーディオ特徴データを生成する。
【００５１】
まず、ナレーション音声をＭＤＣＴ手段３２に入力し、またＭＰＥＧ−２ＡＡＣ符号化手段３３で音声を符号化したＭＤＣＴ窓情報を入力して、時間信号をＭＤＣＴ周波数データに変換する。
【００５２】
図４は、周波数帯域とＭＤＣＴ周波数データの範囲を示す図である。図４では、サンプルレートｆｓを４４．１ｋＨｚ又は４８ＫＨｚとし、４９個の聴覚的な周波数帯域（ｎｕｍ＿ｓｗｂ＿ｌｏｎｇ＿ｗｉｎｄｏｗ）の０〜４８の各スケールファクタバンド（ｓｗｂ）におけるＭＤＣＴ周波数データの範囲（ｓｗｂ＿ｏｆｆｓｅｔ＿ｌｏｎｇ＿ｗｉｎｄｏｗ）を示している。
【００５３】
ここで、例えば、多重化するナレーション音のオーディオ特徴データとして、変換されたＭＤＣＴ周波数データのうち、図４に示すスケールファクタバンド（ｓｗｂ）のうち３５番目（ｓｗｂ＝３５）までのデータを用いるものとする。
【００５４】
つまり、ＭＤＣＴ手段３２により周波数変換されたデータをスケールファクタバンド結合手段３４により結合し、図４に示すスケールファクタバンド内のＭＤＣＴ周波数データの総エネルギーを計算する。また、スケールファクタバンド結合手段３４は、例えば、３４番目まで結合した信号をスケールファクタバンド最大値検出手段３５に出力する。スケールファクタバンド最大値検出手段３６は、入力された信号において、ＭＤＣＴ周波数データの総エネルギーの最大値をスケールファクタバンドの特徴データとして符号化手段３６に出力する。
【００５５】
符号化手段３６は、入力された特徴データの符号化を行い、多重化手段３７に出力する。多重化手段３７は、デジタルオーディオストリームとオーディオ特徴データを多重化して出力する。なお、ナレーション音が十分大きいと判定された場合には特徴データの多重を行うが、ナレーション音が無音に近いと判定された場合には特徴データの多重は行う必要はない。次に、多重化方法の例について、具体的に説明する。
【００５６】
＜オーディオストリームへの特徴データの多重例＞
ここで、オーディオ特徴データ生成手段２１によるオーディオストリームへの特徴データの多重方法の例について図を用いて説明する。ここでは、ＭＰＥＧ−２ＡＡＣ符号化を例に、デジタルオーディオ符号化ストリームに付随したオーディオ特徴データの多重方法の例を示す。
【００５７】
図５は、ｒａｗ＿ｄａｔａ＿ｂｌｏｃｋシンタックスのシンタックス例を示す図である。図５に示すように、ＭＰＥＧ−２ＡＡＣのデジタルオーディオ符号化ストリームの音声データは、図５に示すようなｒａｗ＿ｄａｔａ＿ｂｌｏｃｋシンタックスの形式で多重化される。このシンタックス中にｆｉｌｌ＿ｅｌｅｍｅｎｔ領域やｄａｔａ＿ｓｔｒｅａｍ＿ｅｌｅｍｅｎｔ領域が定義されている。ここで、上述の各領域について説明する。
【００５８】
図６は、ｆｉｌｌ＿ｅｌｅｍｅｎｔ領域のシンタックス例を示す図であり、図７は、ｄａｔａ＿ｓｔｒｅａｍ＿ｅｌｅｍｅｎｔ領域のシンタックス例を示す図である。更に、図８は、図６に示すｆｉｌｌ＿ｅｌｅｍｅｎｔ領域に含まれるｅｘｔｅｎｓｉｏｎ＿ｐａｙｌｏａｄ領域のシンタックス例を示す図である。
【００５９】
オーディオ特徴データは、図６に示すように、ｆｉｌｌ＿ｅｌｅｍｅｎｔ領域に含まれる図８のｅｘｔｅｎｓｉｏｎ＿ｐａｙｌｏａｄシンタックスに示す音響特徴＿ｅｘｔｅｎｓｉｏｎ＿ｄａｔａ（）として多重化させたり、又は図７に示すｄａｔａ＿ｓｔｒｅａｍ＿ｅｌｅｍｅｎｔ領域に示す音響特徴＿ｅｘｔｅｎｓｉｏｎ＿ｄａｔａ  ＿ｂｙｔｅとして多重化させることができる。
【００６０】
なお、ｅｘｔｅｎｓｉｏｎ＿ｐａｙｌｏａｄシンタックスの音響特徴＿ｅｘｔｅｎｓｉｏｎ＿ｄａｔａ（）として多重するためには、ＭＰＥＧ等の規格により承認される必要であると思われるが、ｄａｔａ＿ｓｔｒｅａｍ＿ｅｌｅｍｅｎｔ領域で示す音響特徴＿ｅｘｔｅｎｓｉｏｎ＿ｄａｔａ  ＿ｂｙｔｅとして多重する場合には、ＭＰＥＧ等により承認される必要がないため、容易に多重化が実現可能となる。なお、本発明における特徴データの多重化例については、この限りではない。
【００６１】
＜受信装置１２＞
次に、受信装置１２の具体的な機能構成について図を用いて説明する。図９は、本実施形態における受信装置の機能構成の一例を示す図である。図９に示す受信装置１２は、受信手段４１と、音質補正データ生成手段４２と、音質補正データ蓄積手段４３と、映像音声分離手段４４と、音質補正手段４５と、視聴者情報手段４６と、表示手段４７と、音声出力手段４８と、入力手段４９とを有するよう構成されている。
【００６２】
受信手段４１は、放送衛星１４からの番組信号を受信し、映像音声分離手段４４に出力する。また、受信手段４１は、通信ネットワーク１３を介して送信装置１１から送信された音質補正用データの各種情報を取得する。ここで、取得される各種情報は、上述した視聴者に対する音声を補正するための質問情報やテスト音声情報である。受信手段４１は取得した音質補正用データを視聴者情報取得手段４６に出力する。
【００６３】
音質補正データ生成手段４２は、視聴者情報取得手段４６が取得したアンケート等に回答結果及び各個人の聴覚測定データを用いて、デジタルオーディオストリームに含まれるオーディオ特徴データに対応して音質補正を行うことができる音声補正変換テーブルを生成する。また、音質補正データ生成手段４２は、生成した変換テーブルを音質補正データ蓄積手段４３に出力する。音質補正データ蓄積手段４３は、入力された音声補正変換テーブルを視聴者（個人）毎に蓄積する。
【００６４】
また、映像音声分離手段４４は、入力した番組信号を映像信号と音声信号とに分離し、分離した映像信号を表示手段４７に出力し、分離した音声信号を音質補正手段４５に出力する。
【００６５】
音質補正手段４５は、復号したデジタルオーディオ信号に含まれる特徴データと、音質補正データ蓄積手段４３に蓄積された各視聴者の音質補正変換テーブルを用いて、番組に合わせて個人に最適な音質補正を行ったオーディオ信号を生成し、音声出力手段４８に出力する。この出力は、例えばナレーション音が強調されたオーディオ信号となる。なお、音質補正の詳細については後述する。
【００６６】
視聴者情報取得手段４６は、受信手段４１から得られる音質補正の各種情報を入力する。なお、これらの情報は、上述したように、視聴者に対する音声を補正するための質問情報やテスト音声情報であり、記録媒体１５等からも取得することができる。
【００６７】
視聴者情報取得装置４６は、入力された質問情報を表示手段４７に出力する。また、テスト音声情報を音声出力手段４７に出力する。また、視聴者情報取得装置４６は、視聴者がキーボードやマウス、又はリモコン等の入力手段４９により表示手段４７に出力された質問の回答や各個人の聴覚測定データ、音量等の設定情報等を取得する。更に、視聴者情報取得装置４６は、その取得データを音質補正データ生成手段４２に出力する。
【００６８】
表示手段４７は、モニタ等からなり、音声分離手段４４から得られる映像を出力する。また、視聴者情報取得手段４６から入力される視聴者に音声補正に関するアンケート等の内容を表示する。
【００６９】
また、音声出力手段４８は、スピーカ等からなり音質補正手段４５により視聴者の嗜好に合った音声信号を出力する。また、視聴者情報取得手段４６より入力されるテスト音声データを出力する。
【００７０】
入力手段４９は、キーボードやマウス、リモコン等からなり、視聴者は入力手段４９により、１台の受信装置で複数の視聴者の音質補正データを蓄積可能とするため、視聴者毎に音質補正データを識別するための個人種別情報を入力する。更に、質問情報やテスト音声データを試聴して、その回答を入力する。例えば、テスト音声データのオーディオ信号が聞こえているか、又は聞き取りやすいか等の質問に対して回答を行う。
【００７１】
また、入力手段４９は、映像や番組等を視聴する際に、上述の質問情報やテスト音声データにより新たに補正データを生成したい場合には視聴者情報取得手段４６に視聴者情報取得に関する処理を行うよう指示することができる。
【００７２】
＜視聴者情報取得例＞
ここで、視聴者情報を取得するための具体的な音声の設定例について説明する。
【００７３】
まず、音声出力手段４８により、あるサイン波音（例えば５００Ｈｚ）を所定の出力レベルで再生する。視聴者は、再生音が聞こえていれば「Ｙｅｓ」を、再生音が聞こえていなければ「Ｎｏ」を入力手段４９により回答する。この回答結果を視聴者情報取得手段４６により取得する。
【００７４】
次に、回答結果により再生音が聞こえていれば出力レベルを下げ、再生音が聞こえていなければ出力レベルを上げて、再度再生を行う。上述の処理を繰り返し行い、あるレベル以下では聞こえず、所定のレベル以上で聞こえるという閾値を、回答者個人のあるサイン波音に対する聴覚データとして取得する。
【００７５】
次に、上述のサイン波音とは別のサイン波音（例えば１０００Ｈｚ）を用いて、上述と同様に回答者個人のあるサイン波音に対する聴覚データとして取得する。このように、複数の測定すべきサイン波音全てに対して上述した処理を繰り返し行う。
【００７６】
次に、ある放送番組を模擬した番組音（Ｒｅｆ）と、ナレーション音と効果音をある比率に設定した番組音（Ｔｓｔ）を音声出力手段４８から再生する。音声出力手段４８によりＲｅｆよりもＴｓｔが好みならば「Ｙｅｓ」を、ＴｓｔよりもＲｅｆが好みならば「ＮＯ」を回答し、この回答結果を視聴者情報取得手段４６により取得する。
【００７７】
次に、回答結果によりＲｅｆよりもＴｓｔが好みならば背景音の比率を下げ、ＴｓｔよりもＲｅｆが好みならば背景音の比率を上げて再度再生を行う。上述の処理を繰り返し行い、ある比率以下ではＲｅｆよりもＴｓｔが好みで、ある比率以上ではＴｓｔよりもＲｅｆが好みとなる閾値を、ある番組音に対する好みの聴覚データとして取得する。また、上述の処理を複数の測定すべき番組音全てに対して繰り返し行う。
【００７８】
＜音質補正データ生成手段４２＞
次に、音質補正データ生成手段４２におけるテーブル生成の具体例について説明する。上述した視聴者情報取得例において、視聴者情報取得手段４６により取得された取得データにより所定数のデータが取得できた場合、取得したデータからテーブルを生成する。
【００７９】
具体的には、収集した個人の周波数毎の聴力レベル（個人毎に聞こえる最も小さいレベル）と、周波数毎のナレーションと背景音間における好みの混合比率のデータとを、音質補正変換テーブルとして使用する。または、音声ボリューム毎に周波数毎の聴力レベルと、ナレーションと背景音間における好みの混合比率のデータを作成し音質補正変換テーブルを生成する。なお、テーブルの生成例については、本発明においては限定されず、その他の方法を用いてもよい。
【００８０】
ここで、更に具体的な変換テーブルについて説明する。ここでは、取得したサイン波音に対する聴覚データからゲイン変換テーブルを作成する例について説明する。
【００８１】
図１０は、ゲイン変換テーブルの一例を示す図である。図１０では、ゲイン変換テーブルとして、上述したオーディオ特徴データ生成例と同様にスケールファクタバンド番号（ｓｆｂ番号）毎に、ＭＰＥＧ−２ＡＡＣにおいて、スケールファクタ値（ｓｆｂ値）として０〜２５５の値があるので、ｓｆｂ番号及びｓｆｂ値の２次元配列に対して、所定のゲイン値（Ａ〜ＺＺ４８）を設定したゲイン変換テーブルを生成する。
【００８２】
また、図１１は、補正前と補正後のデータ推移の一例を示す図である。ここで、図１０に示すゲイン変換テーブルにおける所定のゲイン値は、図１１に示すゲイン補正前とゲイン補正後の差分値とすることができる。このように、図１０により、各スケールファクタバンド毎に異なるゲイン値を記載することができる。
【００８３】
ここで、図１１に示すように、視聴者から収集された聴覚データについてある入力の音量よりも小さい音は聞きづらい場合、所定の範囲（５０〜１００）は一定の音量となるように補正したり、ある所定量を超える音量について（図１１では、２００以上）は、入力に対する出力の傾きが半分になるような補正を行う。
【００８４】
つまり、上述のような補正を行うことにより、例えば全ての受信装置に放送される番組（ニュース等の情報提供番組等）の番組音に対して、補正データにより他の受信装置で放送された放送音よりもナレーションが大きい音を容易に出力することができる。
【００８５】
また、聴覚測定データから番組音に対する所望の混合比率を生成する場合は、まず、上述したサイン波音に対する聴覚測定データにより、視聴者が所望の音質の閾値を設定されているため、これにより、例えば、最も小さい音と最も大きい音の音量差（ダイナミックレンジ）を放送音よりも小さくするためのテーブル等を生成することができる。
【００８６】
また、ナレーション音と効果音等の背景音の混合比率を放送音から変更するための混合比率テーブルを生成することができる。この混合比率テーブルは、デジタルオーディオ符号化ストリームにオーディオ特徴データが含まれており、更にニュース等の情報提供番組において、ナレーション音を明瞭で聞きやすくするためにナレーション音に関するオーディオ特徴データが伝送される場合に用いられる。
【００８７】
混合比率テーブルは、図１０に示すように、上述したオーディオ特徴データ生成例と同様にスケールファクタバンド番号（ｓｆｂ番号）毎に、ＭＰＥＧ−２ＡＡＣにおいて、スケールファクタ値（ｓｆｂ値）として０〜２５５の値があるので、ｓｆｂ番号及びｓｆｂ値の２次元配列に対して、所定のゲイン値（Ａ〜ＺＺ４８）を設定した混合比率を設定することができる。
【００８８】
ここで、例えば収集した聴覚データがニュース等情報提供番組の単一の値である場合、ｓｆｂ値に係わらず一定の混合比率とすることができる。また、ニュース等情報提供番組に用いる場合、ｓｆｂ番号３５までの混合比率は収集した聴覚データに対応して補正し、３５以上のミックスレベル比は通常音声と同じ混合比率となるように設定することもできる。
【００８９】
＜音質補正手段４５＞
次に、音質補正手段４５について、具体的に説明する。音質補正手段４５は、個人の音質補正変換テーブルを利用して、取得した個人のパーソナルな音質補正データと放送番組のジャンル情報又は番組毎にオーディオ信号に含まれて送信される特徴データを組み合わせて、番組毎に視聴者に適したオーディオ信号になるよう音質補正を行う。
【００９０】
図１２は、音質補正手段における補正処理ブロックの一例を示す図である。なお、図１２は、ナレーション音を明瞭で聞きやすくするためのブロック構成例である。図１２は、分離手段６１と、デジタルオーディオストリーム復号手段６２と、ナレーション復号手段６３と、ＭＤＣＴ手段６４と、ナレーションミックス比変換手段６５と、ダイナミックレンジ変換手段６６と、逆ＭＤＣＴ手段６７とを有するよう構成されている。
【００９１】
なお、図１２に示すブロック図は、いったんデジタルオーディオ信号を復号し、復号信号に音質補正を行う場合を示しているが、構成をより簡潔にするためデジタルオーディオストリーム復号時にこの機能を組み込むことも可能である。
【００９２】
分離手段６１は、入力されるＭＰＥＧ−２ＡＡＣデジタルオーディオストリームとナレーション特徴データを分離する。また、分離手段６１は、分離されたデジタルオーディオストリームをデジタルオーディオストリーム復号手段６２に出力し、ナレーション特徴データをナレーション特徴データ復号手段６３に出力する。
【００９３】
デジタルオーディオストリーム復号手段６２は、分離手段６１により得られるデジタルオーディオストリームをデジタルオーディオ信号に復号する。また、デジタルオーディオストリーム復号手段６２は、復号されたデジタルオーディオ信号をＭＤＣＴ手段６４に出力する。また、ナレーション特徴データ復号手段６３は、ナレーション特徴データを復号する。また、ナレーション特徴データ復号手段６３は、復号されたナレーション特徴データをＭＤＣＴ手段６４に出力する。
【００９４】
ＭＤＣＴ手段６４は、ＭＰＥＧ−２ＡＡＣデジタルオーディオストリームのフレームと同じＭＤＣＴ窓情報を用いて再度時間信号をＭＤＣＴ周波数データに変換する。
【００９５】
具体的には、ＭＤＣＴ手段６４により得られるＭＤＣＴ周波数データにナレーション特徴データをスケールファクタバンド毎に乗算することによりナレーション音のＭＤＣＴ周波数データを再現し、再現したナレーション音のＭＤＣＴ周波数データをナレーションミックス比変換手段６５に出力する。
【００９６】
ナレーションミックス比変換手段６５は、元の放送音（ナレーション音と背景音とが混合されたもの）のＭＤＣＴ周波数データを、音質補正データ蓄積手段４３から得られる音質補正テーブル（混合比率テーブル）のデータにしたがって視聴者に適切な混合比で乗算又は加減算することにより音質補正を行う。
【００９７】
また、ナレーションミックス比変換手段６５は、音質補正した音声をダイナミックレンジ変換手段６６に出力する。ダイナミックレンジ変換手段６６は、ゲイン変換テーブルにしたがって、入力した信号に音質補正データ蓄積手段４３から得られる音質補正テーブル（ゲイン変換テーブル）のデータを乗算又は加減算することにより、音量の大きさが視聴者に適切な範囲内となる音質補正済み信号を作成する。ダイナミックレンジ変換手段６６は、その信号を逆ＭＤＣＴ手段６７に出力する。
【００９８】
逆ＭＤＣＴ手段６７は、ダイナミックレンジ変換手段６６により得られる信号に逆ＭＤＣＴを行い音質補正済み信号を出力する。これにより、各個人に適した音質補正を行い高精度な音声を提供することができる。
【００９９】
上述したように、各個人に適した音質補正を行い高精度な音声を提供することができる。
【０１００】
本発明により、不特定多数が同時に試聴する放送等の形態において、送信側では特徴データを有する同一の番組を複数の受信側に送信し、受信側で個人毎（視聴者毎）に最適な音質で聞きたい使用者は、事前に入手した音の聞きやすさに関するアンケート等の質問情報及びその質問情報に付随したテスト音声データからなる音質補正用データに基づいて回答することにより音質補正データを生成し、生成した音質補正データとデジタル放送波又はインターネット音のデジタルオーディオ符号化ストリーム信号に含まれるオーディオ特徴データとを組み合わせることにより、各個人に適した音質補正を行い高精度な音声を提供することができる。
【０１０１】
例えば、放送番組にはニュース番組やニュース解説等の情報番組、スポーツ中継、音楽番組等の各種のジャンルがある。このうち、ニュース等の情報提供番組では、ナレーション音声が明瞭で聞きやすく、内容が正確に把握できることが望まれる。一方、音楽番組では、番組音の雰囲気を保つことが大切である。また、個人毎の聴力や嗜好が異なっており、個人毎に適切な音質補正することが必要である。本発明は、番組にあわせて個人に最適な音質補正を行ったオーディオ信号を提供することができる。本発明を適用することにより、特に高齢者等に聞き取りにくかった番組等の台詞、アナウンス、ナレーションを聞き取りやすくさせることができる。
【０１０２】
以上本発明の好ましい実施形態について詳述したが、本発明は係る特定の実施形態に限定されるものではなく、特許請求の範囲に記載された本発明の要旨の範囲内において、種々の変形、変更が可能である。
【図面の簡単な説明】
【０１０３】
【図１】本発明における音質補正伝送システムの一構成例を示す図である。
【図２】本実施形態における送信装置の機能構成の一例を示す図である。
【図３】オーディオ特徴データの生成例を説明するための図である。
【図４】Ｓｃａｌｅｆａｃｔｏｒ  ｂａｎｄｓとＭＤＣＴ周波数データの範囲を示す図である。
【図５】ｒａｗ＿ｄａｔａ＿ｂｌｏｃｋシンタックスのシンタックス例を示す図である。
【図６】ｆｉｌｌ＿ｅｌｅｍｅｎｔ領域のシンタックス例を示す図である。
【図７】ｄａｔａ＿ｓｔｒｅａｍ＿ｅｌｅｍｅｎｔ領域のシンタックス例を示す図である。
【図８】ｆｉｌｌ＿ｅｌｅｍｅｎｔ領域に含まれるｅｘｔｅｎｓｉｏｎ＿ｐａｙｌｏａｄ領域のシンタックス例を示す図である。
【図９】本実施形態における受信装置の機能構成の一例を示す図である。
【図１０】ゲイン変換テーブルの一例を示す図である。
【図１１】補正前と補正後のデータ推移の一例を示す図である。
【図１２】音質補正手段における補正処理ブロックの一例を示す図である。
【符号の説明】
【０１０４】
１０  音質補正伝送システム
１１  送信装置
１２  受信装置
１３  通信ネットワーク
１４  放送衛星
１５  記録媒体
２１  オーディオ特徴データ生成手段
２２  番組制作手段
２３  音質補正用データ生成手段
２４  第１送信手段
２５  第２送信手段
３１  ミキシング手段
３２  ＭＤＣＴ手段
３３  ＭＰＥＧ−２  ＡＡＣ符号化手段
３４  スケールファクタバンド結合手段
３５  スケールファクタバンド最大値検出手段
３６  符号化手段
３７  多重化手段
４１  送信手段
４２  音質補正データ生成手段
４３  音質補正蓄積手段
４４  映像音声分離手段
４５  音質補正手段
４６  視聴者情報取得手段
４７  表示手段
４８  音声出力手段
４９  入力手段
６１  分離手段
６２  デジタルオーディオストリーム復号手段
６３  ナレーション特徴データ復号手段
６４  ＭＤＣＴ手段
６５  ナレーションミックス比変換手段
６６  ダイナミックレンジ変換手段
６７  逆ＭＤＣＴ手段
【図１】
2005348216.tif 000003
【図２】
2005348216.tif 000004
【図３】
2005348216.tif 000005
【図４】
2005348216.tif 000006
【図５】
2005348216.tif 000007
【図６】
2005348216.tif 000008
【図７】
2005348216.tif 000009
【図８】
2005348216.tif 000010
【図９】
2005348216.tif 000011
【図１０】
2005348216.tif 000012
【図１１】
2005348216.tif 000013
【図１２】
2005348216.tif 000014